(57)【要約】      （修正有）【課題】その柔軟性と弾性が人体の皮膚に近く、着用時の快適性と、良好な通気効果と按摩機能を有し、外界からの押圧や洗濯、或いは長時間使用による弾性疲労や変形を防止する，二種類の異なる硬度材質を具えたブラジャーのカップの提供。【解決手段】外綿層、内綿層及び立体カップで組成され、外、内綿層が軟性ゴムで形成された立体カップの外側面と内側面を被覆するブラジャーのカップにおいて、該立体カップが記憶弾性を具えたゴムを一体成形してなり、該立体カップの人体胸部との接合面に複数の通気孔及び按摩効果を具えた凸粒が均一に配置され、立体カップの人体胸部下縁を被覆する部分にパッドと支持効果を有するゴム條が設けられる。【選択図】図１
0003103563.tif 000002
【実用新案登録請求の範囲】
【請求項１】
外綿層、内綿層及び立体カップで組成され、外、内綿層が軟性ゴムで形成された立体カップの外側面と内側面を被覆するブラジャーのカップにおいて、
該立体カップが記憶弾性を具えたゴムを一体成形してなり、該立体カップの人体胸部との接合面に複数の通気孔及び按摩効果を具えた凸粒が均一に配置され、立体カップの人体胸部下縁を被覆する部分にパッドと支持効果を有するゴム條が設けられ、
該パッドはその柔軟度が人体の皮膚に近いゴムを一体成形してなり、その柔軟度が立体カップより軟らかく、該パッドは熱圧加工により立体カップに密着する形状に形成され、  該ゴム條は立体カップ及びパッドより硬いゴムを一体成形してなり、立体カップの人体胸部下縁部分を被覆するパッドの下方に設けられ、支持効果を提供し、
ゴムで形成された立体カップと、それより柔軟なゴムで形成されて胸部を支持するパッドの組合せにより、立体円弧形状と柔軟性と快適性を具えることを特徴とする、二種類の異なる硬度材質を具えたブラジャーのカップ。
【請求項２】
請求項１記載の二種類の異なる硬度材質を具えたブラジャーのカップにおいて、ゴムで形成された立体カップが高い弾性と形状記憶性能を具備し、押圧、撚り揉み後の変形が防止されたことを特徴とする、二種類の異なる硬度材質を具えたブラジャーのカップ。
【請求項３】
請求項１記載の二種類の異なる硬度材質を具えたブラジャーのカップにおいて、外綿層が通気性を有する綿布或いはレース布で形成されたことを特徴とする、二種類の異なる硬度材質を具えたブラジャーのカップ。
【請求項４】
請求項１記載の二種類の異なる硬度材質を具えたブラジャーのカップにおいて、立体カップとパッドがそれぞれ一体成形される時、原料中に遠赤外線発射材料が添加されて、ブラジャーに血行促進機能を賦与することを特徴とする、二種類の異なる硬度材質を具えたブラジャーのカップ。
【請求項５】
請求項１記載の二種類の異なる硬度材質を具えたブラジャーのカップにおいて、立体カップとパッドがそれぞれ一体成形される時、原料中に磁性粉、磁性粒を添加することで、ブラジャーにツボ刺激と血液循環促進機能を賦与することを特徴とする、二種類の異なる硬度材質を具えたブラジャーのカップ。
【請求項６】
請求項１記載の二種類の異なる硬度材質を具えたブラジャーのカップにおいて、立体カップとパッドが一体成形される時、原料中に香料添加することで、ブラジャーを芳香を有するものとなすことを特徴とする、二種類の異なる硬度材質を具えたブラジャーのカップ。
【請求項７】
請求項１記載の二種類の異なる硬度材質を具えたブラジャーのカップにおいて、立体カップとパッドが一体成形される時、原料中に美容効果を有するビタミンＣ、Ｄ等の成分が添加されたことを特徴とする、二種類の異なる硬度材質を具えたブラジャーのカップ。
【請求項８】
請求項１記載の二種類の異なる硬度材質を具えたブラジャーのカップにおいて、立体カップとパッドが一体成形される時、原料中に顔料が添加され、外綿層がレースとされて、多元化の色系が透けて見えるようにして、ブラジャーの使用価値を高めることを特徴とする、二種類の異なる硬度材質を具えたブラジャーのカップ。
【考案の詳細な説明】
【技術分野】
【０００１】
本考案は一種の二種類の異なる硬度材質を具えたブラジャーのカップに係り、特に、立体円弧線を具え、且つ柔軟で快適性を提供するブラジャーのカップに関する。
【背景技術】
【０００２】
一般にブラジャーのカップは、図５に示されるように、内、外綿層５０及び糸綿層５１を組み合わせてなる。該内、外綿層５０は該糸綿層５１の外部を被覆している。このようなブラジャーのカップの内、外綿層５０は、その布が単方向に織られ、ゆえに単一方向にのみストレッチ作用を有し、別の方向はストレッチ作用を具備しない。またそのストレッチ性も限られている。該糸綿層５１は胸部の円弧に合わせた立体外形を具え、密度は密で組織が密実なスポンジで組成され、牽強な立体円弧形状に形成されている。しかし、該糸綿層５１は立体円弧形状を有するとはいえ、洗濯後に変形や弛みを発生して全体の曲線が崩れやすい。このため周知のこのようなブラジャーのカップは、使用者が着用する時、その質感が粗く、弾性に欠け、変形しやすく、長時間の着用に耐えられず、これらの欠点は糸綿層５１が変形しやすいことによるものであり、このために大幅に使用寿命が短くなり、且つ変形後に着用すると外観と快適度が悪くなる。組織が密実である糸綿層５１は強固な立体形状を得るために柔軟性については考慮されておらず、着用時、異なる胸部曲線により完全に被覆密着することができない。さらに弾性に欠けるため、押圧、洗浄、ストラップによる引っ張り或いは長時間の着用により糸綿層５１が厳重な変形や弾性疲労を形成し、もとの立体カップ状態に回復不能となる。このため、ブラジャーの交換の速度が相当に速くなり、このようなブラジャーのカップは消費者に困惑と不必要な浪費をもたらす。
【考案の開示】
【考案が解決しようとする課題】
【０００３】
以上の従来のブラジャーのカップの欠点を鑑み、本考案は実用性が高く並びに外観がよく、快適で、製造コストを下げることができるブラジャーのカップの構造を提供するものである。
【０００４】
即ち、本考案の主要な目的は、一種のブラジャーのカップを提供することにあり、それは、比較的硬質のゴムで形成されて立体円弧形状を具えた立体カップを具え、カップ内綿に設置されるパッドが人体の皮膚に近いゴムで形成され、このような二種類の異なる硬度材質野組合せ設計により、使用者が本考案のブラジャーのカップを着用する時、立体的で牽強な円弧線を現出すると共に、柔軟な触感を提供し、着用時の快適度を高めることができる。
【課題を解決するための手段】
【０００５】
請求項１の考案は、外綿層、内綿層及び立体カップで組成され、外、内綿層が軟性ゴムで形成された立体カップの外側面と内側面を被覆するブラジャーのカップにおいて、
該立体カップが記憶弾性を具えたゴムを一体成形してなり、該立体カップの人体胸部との接合面に複数の通気孔及び按摩効果を具えた凸粒が均一に配置され、立体カップの人体胸部下縁を被覆する部分にパッドと支持効果を有するゴム條が設けられ、
該パッドはその柔軟度が人体の皮膚に近いゴムを一体成形してなり、その柔軟度が立体カップより軟らかく、該パッドは熱圧加工により立体カップに密着する形状に形成され、  該ゴム條は立体カップ及びパッドより硬いゴムを一体成形してなり、立体カップの人体胸部下縁部分を被覆するパッドの下方に設けられ、支持効果を提供し、
ゴムで形成された立体カップと、それより柔軟なゴムで形成されて胸部を支持するパッドの組合せにより、立体円弧形状と柔軟性と快適性を具えることを特徴とする、二種類の異なる硬度材質を具えたブラジャーのカップとしている。
請求項２の考案は、請求項１記載の二種類の異なる硬度材質を具えたブラジャーのカップにおいて、ゴムで形成された立体カップが高い弾性と形状記憶性能を具備し、押圧、撚り揉み後の変形が防止されたことを特徴とする、二種類の異なる硬度材質を具えたブラジャーのカップとしている。
請求項３の考案は、請求項１記載の二種類の異なる硬度材質を具えたブラジャーのカップにおいて、外綿層が通気性を有する綿布或いはレース布で形成されたことを特徴とする、二種類の異なる硬度材質を具えたブラジャーのカップとしている。
請求項４の考案は、請求項１記載の二種類の異なる硬度材質を具えたブラジャーのカップにおいて、立体カップとパッドがそれぞれ一体成形される時、原料中に遠赤外線発射材料が添加されて、ブラジャーに血行促進機能を賦与することを特徴とする、二種類の異なる硬度材質を具えたブラジャーのカップとしている。
請求項５の考案は、請求項１記載の二種類の異なる硬度材質を具えたブラジャーのカップにおいて、立体カップとパッドがそれぞれ一体成形される時、原料中に磁性粉、磁性粒を添加することで、ブラジャーにツボ刺激と血液循環促進機能を賦与することを特徴とする、二種類の異なる硬度材質を具えたブラジャーのカップとしている。
請求項６の考案は、請求項１記載の二種類の異なる硬度材質を具えたブラジャーのカップにおいて、立体カップとパッドが一体成形される時、原料中に香料添加することで、ブラジャーを芳香を有するものとなすことを特徴とする、二種類の異なる硬度材質を具えたブラジャーのカップとしている。
請求項７の考案は、請求項１記載の二種類の異なる硬度材質を具えたブラジャーのカップにおいて、立体カップとパッドが一体成形される時、原料中に美容効果を有するビタミンＣ、Ｄ等の成分が添加されたことを特徴とする、二種類の異なる硬度材質を具えたブラジャーのカップとしている。
請求項８の考案は、請求項１記載の二種類の異なる硬度材質を具えたブラジャーのカップにおいて、立体カップとパッドが一体成形される時、原料中に顔料が添加され、外綿層がレースとされて、多元化の色系が透けて見えるよう形成されたことを特徴とする、二種類の異なる硬度材質を具えたブラジャーのカップとしている。
【考案の効果】
【０００６】
本考案は以下のような長所を有している。
１．本考案の二種類の異なる硬度材質を具えたブラジャーのカップは、立体カップが柔軟なゴムを基材とし、弾性に優れ、強い形状記憶性能を具え、外界の押圧、洗濯、水濡れ或いは長時間使用による弾性疲労や変形を発生しない。
２．本考案の二種類の異なる硬度材質を具えたブラジャーのカップは、立体カップの内面に複数の凸粒が配設され、これにより良好な按摩効果を提供すると共に、カップと胸部の間の良好な通気効果を提供する。
３．本考案の二種類の異なる硬度材質を具えたブラジャーのカップは、立体カップに複数の通気孔が配設されて良好な通気性を提供する。
４．本考案の二種類の異なる硬度材質を具えたブラジャーのカップは、立体カップとパッドが一体成形される時、原料中に遠赤外線発射材料を添加することで、ブラジャーに血行促進機能を賦与することができる。
５．本考案の二種類の異なる硬度材質を具えたブラジャーのカップは、立体カップとパッドが一体成形される時、原料中に磁性粉、磁性粒を添加することで、ブラジャーにツボ刺激と血液循環促進機能を賦与することができる。
６．本考案の二種類の異なる硬度材質を具えたブラジャーのカップは、立体カップとパッドが一体成形される時、原料中に香料添加することで、ブラジャーを芳香を有するものとなすことができ、また美容効果を有するビタミンＣ、Ｄ等の成分を添加することもできる。
７．本考案の二種類の異なる硬度材質を具えたブラジャーのカップは、立体カップとパッドが一体成形される時、原料中に顔料を添加することで、外綿層がレースとされる時、多元化の色系が透けて見えるようにして、ブラジャーの使用価値を高めることができる。
【０００７】
総合すると、本考案は実用性に優れ、使用に便利で、使用寿命が長い二種類の異なる硬度材質を具えたブラジャーのカップであり、その全体の組合せ及び特徴はこれまでにないものであり、実用新案登録の要件を具備している。
【考案を実施するための最良の形態】
【０００８】
本考案の二種類の異なる硬度材質を具えたブラジャーのカップは、外綿層、内綿層及び立体カップで組成され、外、内綿層が軟性ゴムで形成された立体カップの外側面と内側面を被覆するブラジャーのカップにおいて、該立体カップが記憶弾性を具えたゴムを一体成形してなり、該立体カップの人体胸部との接合面に複数の通気孔及び按摩効果を具えた凸粒が均一に配置され、立体カップの人体胸部下縁を被覆する部分にパッドが設けられ、パッドは胸部を支持する機能を具備するほか、その柔軟性と弾性が人体の皮膚に近く、着用時の快適性を提供する。
【実施例１】
【０００９】
図１、２は本考案のブラジャーのカップの立体分解図及び立体組合せ図である。本考案のブラジャーのカップＡは、外綿層１０、内綿層２０及び立体カップ３０で組成されている。
【００１０】
該外綿層１０は立体カップ３０の外側面に設けられ、該外綿層１０は通気性を有する綿布或いはレース布で形成されている。
【００１１】
該内綿層２０は、立体カップ３０の内側面に設けられ、該内綿層２０は通気性を有する綿布で形成されている。
【００１２】
該立体カップ３０は弾性を具えたゴムを成形してなり、該立体カップ３０に均一に複数の通気孔３１が配設され、該立体カップ３０の人体胸部下縁を被覆する円弧面に複数の凸粒３２が設置されている。
【００１３】
該立体カップ３０は記憶弾性を具えたゴムを一体成形してなり、該立体カップ３０の人体胸部との当接面に複数の通気孔３１と按摩効果を有する凸粒３２が均一に設置され、立体カップ３０の人体胸部下縁を被覆する部分にパッド４０とゴム條４１が設けられている。
【００１４】
該パッド４０は柔軟度を有して人体の皮膚に近いゴムを一体成形してなり、その柔軟度は立体カップ３０より軟らかい。
【００１５】
該ゴム條４１はパッド４０及び立体カップ３０よりも硬いゴムを一体成形してなり、立体カップ３０の人体胸部下縁を被覆する部分の、パッド４０の下方に設けられる。
【００１６】
図３は本考案を運用したブラジャーの全体構造を示す。ブラジャーのカップＡの外綿層１０、内綿層２０は立体カップ３０の外側面と内側面を被覆し、カップＡに接続布が縫い付けられ、該接続布の両側に背帯が縫い付けられ、背帯に設けられたストラップがカップＡ上縁に接続されて、ブラジャーが完成する。
【００１７】
一体成形の立体カップ３０は、超弾性を具えたゴム（例えばプラスチック、ゴム等の軟性材質）を基材とし、使用者に着用時の良好な支持効果を提供し、且つ立体カップ３０の円弧形は人体工学に符合する設計とされ、人体の胸部のラインに密着し（図４）、使用者に安心感を与える。且つ立体カップ３０に設けられた複数の通気孔３１と凸粒３２が使用者に良好な通気効果を提供する。
【００１８】
また、パッド４０は熱圧加工により立体カップ３０に密着する形状に形成され、並びに立体カップ３０の人体胸部下縁を被覆する部分に設けられ、良好な胸部支持効果を達成する。本考案のパッド４０には柔軟なゴムが採用され、使用者に着用時の柔軟度及び快適度を提供する。ゴム條４１はパッド４０及び立体カップ３０より硬いゴムを一体成形してなり、ゆえにワイヤと同様の支持効果を提供し、使用者が本考案を運用したブラジャーを着用する時、密着する効果を提供する。
【００１９】
また、図４の本考案の使用実施例に示されるように、該立体カップ３０は一般のブラジャーの内綿層２０、外綿層１０の間に設置され、カップＡの定形を達成するほか、この構造の弾性は人体の皮膚に近いため、着用時の快適性を向上し、且つ該立体カップ３０の内面に設けられた複数の凸粒３２により、良好な按摩効果を提供し、並びにカップと胸部の間の良好な通気機能を達成する。
【００２０】
且つ一般のブラジャーのカップに運用される時には、ブラジャーに立体的で密着効果をなえた形状を具備させ、並びに高い弾性を有するゴムによりブラジャー自体の弾性と回復記憶の機能を強化し、外界の押圧、洗浄による弾性疲労及び変形等の欠点を解決できる。
【図面の簡単な説明】
【００２１】
【図１】本考案のブラジャーのカップの立体分解図である。
【図２】本考案のブラジャーのカップの立体組合せ図である。
【図３】本考案を運用したブラジャーの全体構造表示図である。
【図４】本考案の使用状態表示図である。
【図５】周知の構造表示図である。
【符号の説明】
【００２２】
Ａ  カップ          １０  外綿層
２０  内綿層        ３０  立体カップ
３１  通気孔        ３２  凸粒
４０  パッド        ４１  ゴム條
５０  内、外綿層    ５１  糸綿層
【図１】
0003103563.tif 000003
【図２】
0003103563.tif 000004
【図３】
0003103563.tif 000005
【図４】
0003103563.tif 000006
【図５】
0003103563.tif 000007